(57)【要約】      （修正有）【課題】鏡に付く水滴や曇りを除去できる歯鏡装置を提供する。【解決手段】取付けフレーム１と、鏡２とを具えた歯鏡装置であって、取付けフレーム１は、鏡２が取り付けられる台座１１と、吸引通路１２１を画成し、台座１１から延伸するシャフト１２と、台座１１内に取り付けられ、鏡２を回転駆動できる駆動手段１３と、を有し、台座１１は、第１の面１１４Ｂと取付け孔１１４Ａとを有している取付け板１１４と、第１の収容空間１１５を画成し、取付け板１１４に凸設されている第１の周壁１１１Ａと、を有している上、吸引通路１２１と連通させる第１吸引口１１３Ａが開けられており、鏡２は、鏡本体２１と、鏡本体２１から鏡面２１１の反対側へ突起して取付け孔１１４Ａに挿し込まれている取付軸２２と、を有し、回転できるように台座１１に取付けられており、駆動手段１３は、鏡２の回転を駆動できるように構成されている。【選択図】図１
2017000704.tif 000002
【特許請求の範囲】
【請求項１】
取付けフレームと、前記取付けフレームに取り付けられている鏡とを具えた歯鏡装置であって、
前記取付けフレームは、前記鏡が取り付けられる台座と、吸引通路を画成するように中空の管状に構成されていると共に、前記台座から所定の方向に沿って延伸するように形成されたシャフトと、前記鏡を回転駆動するように前記台座内に取り付けられている駆動手段と、を有するように構成されており、
前記台座は、第１の面を有し取付け孔が開けられている取付け板と、前記第１の面が面する第１の方向に向って開口する第１の収容空間を画成するように、前記第１の面と略直交に前記取付け孔を通過する所定の軸線を中心として前記取付け板に凸設されている第１の周壁と、が形成されている上、前記第１の収容空間を前記シャフトにより画成される前記吸引通路と連通させる第１吸引口が開けられており、
前記鏡は、鏡面を有し且つ前記鏡面が前記第１の方向に面するように前記第１の収容空間内に収容されている鏡本体と、前記鏡本体から前記鏡面の反対側へ突起して前記取付け板に開けられている前記取付け孔に挿し込まれている取付軸と、を有し、前記所定の軸線を回転軸として回転できるように前記台座に取付けられており、
前記駆動手段は、前記取付け板に設置されていると共に、前記鏡の前記所定の軸線を回転軸とする回転を駆動できるように構成されていることを特徴とする歯鏡装置。
【請求項２】
前記取付け板は、前記第１の面の反対側にあって前記第１の方向の反対方向である第２の方向に面する第２の面を更に有しており、
前記台座は、前記第２の面が面する第２の方向に向って開口する第２の収容空間を画成すると共に、前記第１の周壁が前記取付け板に凸設されている箇所の反対側に凸設されている第２の周壁と、が形成されるように構成されており、
前記駆動手段は、前記第２の収容空間内に設置されている駆動本体部と、前記取付け板の前記取付け孔を画成する内周面に当接して且つ該取付け孔を塞ぐように前記駆動本体部から前記取付け孔内に挿し込まれる上、前記鏡の前記取付け孔内に挿し込まれている取付軸を受入れる軸受けとを有するように形成されていることを特徴とする請求項１に記載の歯鏡装置。
【請求項３】
前記シャフトは、前記第１の周壁及び前記第２の周壁に接続されており、
前記第２の周壁の前記シャフトと接続されている部分に、前記第２の収容空間を前記吸引通路と連通させる第２吸引口が開けられていることを特徴とする請求項２に記載の歯鏡装置。
【請求項４】
前記軸受けは、環状に形成されて前記取付け板の前記内周面に当接するように前記取付け板に固定されている固定部と、
前記鏡の前記取付軸を受入れて該取付軸と共に前記固定部に対して回転できるように、一部分が前記第２の収容空間から環状に形成された前記固定部と間を空けて前記固定部の環内に挿入され、残りの部分が前記第２の収容空間内に収容されている回転部と、
環状に形成された前記固定部と前記固定部の環内に挿入されている前記回転部の前記一部分との間に介在している複数のベアリングボールと、を有しており、
前記駆動本体部は、前記回転部の前記第２の収容空間内に収容されている前記残りの部分から前記第２の周壁側へ延伸するように前記回転部に設置されている羽根部を有しており、
前記取付軸は、前記軸受けの前記固定部により受入れられる挿入部と、前記挿入部より太く形成されて前記軸受けの前記固定部と前記鏡本体との間に介在するように前記固定部の外に露出しているスペーサ部とを有するように形成されていることを特徴とする請求項３に記載の歯鏡装置。
【請求項５】
前記第２吸引口を前記第２の周壁の０度位置として、時計回りの方向に沿って前記第２の周壁の４５度位置と１３５度位置と２２５度位置とにそれぞれ、前記４５度位置、前記１３５度位置、前記２２５度位置それぞれの前記時計回りの方向に対応する接線方向から前記所定の軸線側へ寄るように斜めに開けられている吸入口が形成されていることを特徴とする請求項３または請求項４に記載の歯鏡装置。
【請求項６】
前記第２吸引口を前記第２の周壁の０度位置として、時計回りの方向に沿って前記取付け板の４５度位置、１３５度位置、２２５度位置にそれぞれ、吸入口が形成されていることを特徴とする請求項３または請求項４に記載の歯鏡装置。
【請求項７】
前記台座は、前記第２の周壁の前記シャフトに接続される箇所に、前記第２吸引口の前記時計回りの方向から、前記第２吸引口を遮るように、反時計回りの方向に沿って延伸する案内壁を更に有していることを特徴とする請求項５または請求項６に記載の歯鏡装置。
【請求項８】
前記シャフトの前記台座に近い部分に、前記吸引通路を外部と連通させる第３吸引口が開けられていると共に、該第３吸引口の開閉を制御するキャップが取付けられていることを特徴とする請求項１〜請求項７いずれか一項に記載の歯鏡装置。
【請求項９】
前記シャフトは、前記台座から離れながら、前記第１の方向側に偏るように斜めに延伸しており、
前記シャフトの前記台座から離れた開口近辺の連接端は、外周面に環状の突起が設けられていると共に、前記第１の方向に向かう一側が前記一側の反対側より長く延伸するように形成されていることを特徴とする請求項１〜請求項８いずれか一項に記載の歯鏡装置。
【発明の詳細な説明】
【技術分野】
【０００１】
本発明は歯鏡装置に関し、特に歯の診断または治療などの行為において使用されている歯鏡装置に関する。
【背景技術】
【０００２】
歯の診断または治療を行う際に、歯の裏側または口腔の奥にある歯を観察するために、鏡がシャフトに対して傾くようにシャフトの先端に固定されている長尺状の歯鏡装置を用いることが多い。
【０００３】
しかし、診察の最中に、鏡面が患者の息で曇ったり、または、歯を洗うために噴射された水が跳ねて鏡面に水滴が付着したりすることによって、歯鏡装置から歯の状況がはっきり見えなくなって医療行為に支障が生じる問題点がある。
【０００４】
上記の問題点を解消するために、例えば、特許文献１に記載されている歯鏡装置は、シャフトが中空管状に構成されている上に、鏡の近辺に空気を鏡面へ噴射できるように噴射孔が開けられいて、シャフトを空気噴射装置に繋ぐと、空気が噴射孔から鏡面に噴射されることにより、鏡面に付いた水滴の除去や、患者の息で曇った鏡面をクリアにすることができる。
【０００５】
しかし、特許文献１の歯鏡装置は、空気の噴射を利用するために、専用の空気噴射装置を用意してシャフトに繋がなければならず、不便である。
【先行技術文献】
【特許文献】
【０００６】
【特許文献１】米国特許第５４４９２９０号明細書
【発明の概要】
【発明が解決しようとする課題】
【０００７】
上記問題点に鑑みて、本発明は、他の専用の装置を用いなくても鏡面の曇りや鏡面に付いた水滴を除去できる歯鏡装置を提供する。
【課題を解決するための手段】
【０００８】
上記目的を達成すべく、本発明は、取付けフレームと、前記取付けフレームに取り付けられている鏡とを具えた歯鏡装置であって、前記取付けフレームは、前記鏡が取り付けられる台座と、吸引通路を画成するように中空の管状に構成されていると共に、前記台座から所定の方向に沿って延伸するように形成されたシャフトと、前記鏡を回転駆動するように前記台座内に取り付けられている駆動手段と、を有するように構成されており、前記台座は、第１の面を有し取付け孔が開けられている取付け板と、前記第１の面が面する第１の方向に向って開口する第１の収容空間を画成するように、前記第１の面と略直交に前記取付け孔を通過する所定の軸線を中心として前記取付け板に凸設されている第１の周壁と、が形成されている上、前記第１の収容空間を前記シャフトにより画成される前記吸引通路と連通させる第１吸引口が開けられており、前記鏡は、鏡面を有し且つ前記鏡面が前記第１の方向に面するように前記第１の収容空間内に収容されている鏡本体と、前記鏡本体から前記鏡面の反対側へ突起して前記取付け板に開けられている前記取付け孔に挿し込まれている取付軸と、を有し、前記所定の軸線を回転軸として回転できるように前記台座に取付けられており、前記駆動手段は、前記取付け板に設置されていると共に、前記鏡の前記所定の軸線を回転軸とする回転を駆動できるように構成されていることを特徴とする歯鏡装置を提供する。
【発明の効果】
【０００９】
上記の構成によれば、本発明の歯鏡装置は、駆動手段で鏡を所定の軸線を回転軸として回転駆動することにより、鏡に付いた水滴を遠心力で除去することができる。また、シャフトに画成される吸引通路を吸引装置に接続することにより、鏡面付近の患者の息を吸引して鏡面の曇りを防止することができる。更に、上記吸引装置としては、患者の口中に溜まった液体を吸引する従来の吸引手段を用いることができるので、専用の吸引装置を用意する必要がない。
【図面の簡単な説明】
【００１０】
【図１】本発明の第１の実施形態の歯鏡装置を示す部分断面図である。
【図２】上記の歯鏡装置を示す部分上面図である。
【図３】図１におけるIII-III線に沿った部分断面図である。
【図４】図１におけIV-IV線に沿った部分断面図である。
【図５】上記歯鏡装置を示す部分正面図である。
【図６】本発明の第２の実施形態の歯鏡装置を示す部分上視断面図である。
【図７】本発明の第３の実施形態の歯鏡装置のシャフトを示す部分断面図である。
【発明を実施するための形態】
【００１１】
以下では各図面を参照しながら、本発明の各実施形態について詳しく説明する。
【００１２】
図１は本発明の第１の実施形態の歯鏡装置を示す部分断面図である。
【００１３】
本発明の第１の実施形態の歯鏡装置は、図１に示されるように、取付けフレーム１と、取付けフレーム１に取り付けられている円形の鏡２とを具えている。
【００１４】
取付けフレーム１は、鏡２が取り付けられる円形の台座１１と、台座１１から所定の方向に沿って延伸し、吸引通路１２１を画成するように管状に構成されているシャフト１２と、鏡２を回転駆動するように台座１１内に取り付けられている駆動手段１３と、を有するように構成されている。
【００１５】
台座１１は、図１に示されるように、第１の方向Ａに面する第１の面１１４Ｂと、第１の面１１４Ｂの反対側にあって第１の方向Ａの反対方向である第２の方向Ｂに面する第２の面１１４Ｃとを有し、取付け孔１１４Ａが開けられている円形の取付け板１１４と、第１の周壁１１１Ａと、第２の周壁１１１Ｂとが形成されている上、蓋１４が取付けられている。
【００１６】
第１の周壁１１１Ａは、第１の方向Ａに向って開口する第１の収容空間１１５を画成するように、第１の面１１４Ｂと略直交に取付け孔１１４Ａを通過する所定の軸線Ｘを中心として取付け板１１４の周縁に凸設されている。第２の周壁１１１Ｂは、第２の面１１４Ｃが面する第２の方向Ｂに向って開口する第２の収容空間１１６を画成すると共に、第１の周壁１１１Ａが取付け板１１４に凸設されている箇所の反対側に凸設されている。蓋１４は、第２の周壁１１１Ｂの前記開口を覆うように取り外し可能に設置されている。
【００１７】
なお、この実施形態においては、第２の周壁１１１Ｂの前記開口を画成する先端部及び蓋１４に、互いに噛み合う螺旋が形成されていて、互いに螺合されている。
【００１８】
シャフト１２は、図１に示されるように、第１の周壁１１１Ａ及び第２の周壁１１１Ｂに接続され、台座１１から離れながら、第１の方向Ａ側に偏るように斜めに延伸している。
【００１９】
シャフト１２の台座１１から離れた且つ吸引通路１２１に連通されている開口近辺の連接端１２３は、外周面に環状の突起１２４が設けられていると共に、吸引装置（図示せず）に連通されている。また、連接端１２３は、第１の方向Ａに向かう一側が前記一側の反対側（第２の方向Ｂに向かう側）より長く延伸するように形成されている。一般に、歯科医療で用いられる吸引装置は、可撓性を有する材料、例えばゴムで作成されたチューブを用いて医療用具と連結される。本発明においては、吸引装置のチューブを連接端１２３に取付けることにより、吸引装置がシャフト１２の吸引通路１２１に連通する。そこで、連接端１２３を上述のように形成すると、該チューブの連接端１２３に取付けられる端部は、連接端１２３に設けられている環状の突起１２４により、連接端１２３との間の摩擦力が大きくなって、該チューブの前記端部が連接端１２３から脱離しにくくなる効果がある。また、本発明の歯鏡装置を使用する際に、該チューブが前記反対側（第２の方向Ｂに向かう側）へ湾曲されて、連接端１２３近辺の開口を塞ぎやすいので、連接端１２３の、第１の方向Ａに向かう前記一側が前記反対側より長く延伸するように形成されていることによって、該チューブが、前記反対側へ湾曲されても、連接端１２３の前記反対側が短いため、連接端１２３近辺の開口が台座１１へ延伸するように開けられ、該チューブが連接端１２３近辺の開口を塞ぐことを防止できる効果がある。
【００２０】
第１の周壁１１１Ａのシャフト１２と接続されている部分に、第１の収容空間１１５をシャフト１２により画成される吸引通路１２１と連通させる第１吸引口１１３Ａが開けられ、第２の周壁１１１Ｂのシャフト１２と接続されている部分に、第２の収容空間１１６を吸引通路１２１と連通させる第２吸引口１１３Ｂが開けられている。
【００２１】
また、第２の周壁１１１Ｂは、図４に示されるように、第２吸引口１１３Ｂを第２の周壁１１１Ｂの０度位置として、時計回りの方向に沿って第２の周壁１１１Ｂの４５度位置と１３５度位置と２２５度位置とにそれぞれ吸入口１１２が形成されている。なお、ここでいう時計回りの方向とは、使用者が鏡２の鏡面２１１に面する場合において、使用者にとっての時計回りの方向を指している。
【００２２】
この実施形態において、吸入口１１２は、それぞれの位置の時計回りの方向に対応する接線方向から所定の軸線Ｘ側へ寄るように斜めに開けられている。
【００２３】
即ち、図４に示されるように、４５度位置に形成されている吸入口１１２は、図４において、第２の周壁１１１Ｂの左上の位置で、空気が時計回りの方向に沿って流入できるように、略左右方向に沿って開けられ、１３５度位置に形成されている吸入口１１２は、図４において、第２の周壁１１１Ｂの右上の位置で、空気が時計回りの方向に沿って流入できるように、略前後方向に沿って開けられ、２２５度位置に形成されている吸入口１１２は、図４において、第２の周壁１１１Ｂの右下の位置で、空気が時計回りの方向に沿って流入できるように、略左右方向に沿って開けられている。
【００２４】
台座１１は、図４に示されるように、第２の周壁１１１Ｂのシャフト１２に接続される箇所に、第２吸引口１１３Ｂの時計回りの方向から、第２吸引口１１３Ｂを遮るように、時計回りの方向と逆になっている反時計回りの方向に沿って、２２５度位置の吸入口１１２に向かって延伸する案内壁１５を更に有している。
【００２５】
図２は上記の歯鏡装置を示す部分上面図である。
【００２６】
鏡２は、図１及び図２に示されるように、鏡面２１１を有し且つ鏡面２１１が第１の方向Ａに面するように第１の収容空間１１５内に収容されている鏡本体２１と、鏡本体２１から鏡面２１１の反対側へ突起して取付け板１１４に開けられている取付け孔１１４Ａに挿し込まれている取付軸２２と、を有し、所定の軸線Ｘを回転軸として回転できるように台座１１に取付けられている。
【００２７】
駆動手段１３は、図１に示されるように、取付け板１１４に設置されていると共に、鏡２の所定の軸線Ｘを回転軸とする回転を駆動できるように構成されるように、第２の収容空間１１６内に設置されている駆動本体部１３０と、取付け孔１１４Ａを囲むように画成する取付け板１１４の内周面１１４Ｄに当接して且つ取付け孔１１４Ａを塞ぐように駆動本体部１３０から取付け孔１１４Ａ内に挿し込まれる上、鏡２の取付け孔１１４Ａ内に挿し込まれている取付軸２２を受入れる軸受け１３１と、を有するように形成されている。
【００２８】
軸受け１３１は、図１及び図３に示されるように、環状に形成されて取付け孔１１４Ａを形成する上記内周面１１４Ｄに当接するように取付け板１１４に固定されている固定部１３１Ａと、固定部１３１Ａに対して回転可能に取付けられている回転部１３１Ｂと、固定部１３１Ａと回転部１３１Ｂとの間に介在している複数のベアリングボール１３１Ｃと、を有している。
【００２９】
回転部１３１Ｂは、鏡２の取付軸２２を受入れて取付軸２２と共に固定部１３１Ａに対して回転できるように、一部分が第２の収容空間１１６から環状に形成された固定部１３１Ａと間を空けて固定部１３１Ａの環内に挿入され、残りの部分が第２の収容空間１１６内に収容されている。
【００３０】
各ベアリングボール１３１Ｃは、環状に形成された固定部１３１Ａと固定部１３１Ａの環内に挿入されている回転部１３１Ｂの前記一部分との間にそれぞれ介在するように配置されている。
【００３１】
この実施形態において、回転部１３１Ｂには、所定の軸線Ｘに沿って回転部１３１Ｂを貫通して鏡２の取付軸２２を受入れることができる受入孔が形成され、ベアリングボール１３１Ｃは、外部の空気及び液体に接触しないように固定部１３１Ａと回転部１３１Ｂとの間に封入されている。
【００３２】
駆動本体部１３０は、回転部１３１Ｂの第２の収容空間１１６内に収容されている前記残りの部ウｂンから第２の周壁１１１Ｂ側へ延伸するように回転部１３１Ｂに設置されている羽根部１３４を有し、羽根部１３４は、回転部１３１Ｂの前記残りの部分を囲むように回転部１３１Ｂの前記残りの部分と共に回転可能に設置される環状部材１３３と、環状部材１３３に設置されている複数の羽根１３２と、により構成されている。
【００３３】
鏡２の取付軸２２は、軸受け１３１の回転部１３１Ｂにより受入れられる挿入部２２１と、挿入部２２１より太く形成されて軸受け１３１の回転部１３１Ｂと鏡本体２１との間に介在するように回転部１３１Ｂ外に露出しているスペーサ部２２２とを有するように形成されている。取付軸２２の形状は、非円形の断面を有する柱状に形成されることが好ましく、この実施形態においては四角柱状に形成されている。
【００３４】
取付軸２２の所定の軸線Ｘに沿う移動を阻止するため、取付軸２２のスペーサ部２２２の反対端部は、固定具３で回転部１３１Ｂに固定される。この実施形態において、図１に示されるように、固定具３として、ねじを取付軸２２の反対端部に螺挿して回転部１３１Ｂに固定する。
【００３５】
上記吸引装置がシャフト１２の連接端１２３側に連結された状態で該吸引装置を起動すると、空気は、第２の周壁１１１Ｂにおいて、第２吸引口１１３Ｂを第２の周壁１１１Ｂの０度位置として、時計回りの方向に沿って第２の周壁１１１Ｂの４５度位置と１３５度位置と２２５度位置とにそれぞれ形成されている吸入口１１２から第２の収容空間１１６に進入する。各吸入口１１２は、それぞれの位置の前記時計回り方向に対応する接線方向から所定の軸線Ｘ側へ寄るように斜めに開けられているので、図４の各吸入口１１２を通過する矢印に示されるように、空気が、第２の収容空間１１６内に時計回りの方向に沿って流動するように誘導される。また、図４に示されるように、第２の周壁１１１Ｂのシャフト１２に接続される箇所には、第２吸引口１１３Ｂの時計回りの方向から、第２吸引口１１３Ｂを遮るように、反時計回りの方向に沿って、２２５度位置の吸入口１１２に向かって延伸する案内壁１５を更に有するので、空気が案内壁１５に沿って吸引されることにより、第２の収容空間１１６内の空気を時計回りの方向に沿って流動するように更に誘導することができる。なお、第２吸引口１１３Ｂの第２の収容空間１１６側の開口が案内壁１５によって２２５度位置の吸入口１１２に近くなるので、空気を時計回りの方向に沿って流動するように誘導する力を更に高めて、空気が安定に時計回りの方向に沿って流動することができる。複数の羽根１３２は、時計回りの方向に沿って流動する空気を受けて、所定の軸線Ｘを回転軸として時計回りの方向に沿って回転される。
【００３６】
この実施形態において、駆動手段１３は空気の流動により鏡２の回転を駆動するが、他の動力で鏡２の回転を駆動する駆動手段を使用することもでき、例えば電力で鏡２を駆動する駆動手段を使用できる。
【００３７】
また、１３５度位置及び２２５度位置に形成されている各吸入口１１２は、歯鏡装置の先端付近にあり、一般的に、歯医者は左手で歯鏡装置を把握して使用するので、その２つの吸入口１１２で患者の口の中に溜まっている液体を吸引することができる。
【００３８】
上記の構成によれば、シャフト１２により画成される吸引通路１２１を吸引装置に連通してから、該吸引装置を起動すると、空気または液体が、鏡本体２１と第１の周壁１１１Ａとの間の隙間から第１吸引口１１３Ａを経由し、或は、第２の周壁１１１Ｂに開けられている吸入口１１２から第２の収容空間１１６に進入してから第２吸引口１１３Ｂを経由して該吸引装置へ吸引される。同時に、駆動手段１３の複数の羽根１３２が、吸入口１１２から第２の収容空間１１６に進入した空気の流動を受けて、所定の軸線Ｘを回転軸として回転すると、駆動手段１３の回転部１３１Ｂが、複数の羽根１３２の回転に連動されて、鏡２の取付軸２２を回転駆動して、鏡２が所定の軸線Ｘを回転軸として回転するようになる。鏡本体２１が回転されると、鏡本体２１に付いた水滴は、その回転の遠心力で鏡本体２１から振り落とされる。また、空気が鏡本体２１と第１の周壁１１１Ａとの間の隙間から第１吸引口１１３Ａを経由して該吸引装置へ吸引されることにより、鏡２の鏡面２１１付近の患者の息が吸引されて、その息による鏡面２１１の曇りを防止するまたは除去することができる。なお、該回転により第１の収容空間１１５に進入する液体も同じく第１吸引口１１３Ａを経由して該吸引装置へ吸引される。
【００３９】
なお、鏡本体２１は、全体が第１の収容空間１１５内に収容されて。即ち、鏡本体２１の周縁は第１の周壁１１１Ａより突出していないので、鏡本体２１が回転される際に、その周縁が患者の口腔内の組織に触れて傷を付けることを防止できる。また、羽根１３２に対する空気の流動による推進力は、鏡本体２１と人の皮膚との間の摩擦力より小さいので、例え回転中の鏡本体２１が患者の皮膚に接触しても、その間の摩擦力により、鏡本体２１の回転が停止される。更に、この実施形態に使用する駆動手段１３は、電力を使用していないので、漏電または感電の恐れがない。
【００４０】
鏡２を回転部１３１Ｂに固定する固定具３を外すと、鏡２を取り外して消毒することができる。また、第２の周壁１１１Ｂに設置されている蓋１４を外せば、第２の収容空間１１６内に収容されている駆動手段１３を消毒することもできる。
【００４１】
図６は本発明の第２の実施形態の歯鏡装置を示す部分上視断面図である。
【００４２】
本発明の第２の実施形態の歯鏡装置は、上記第１の実施形態と類似する構成を有するので、ここでは詳しい説明を省略し、その相違点のみを説明する。
【００４３】
本発明の第２の実施形態は、図６に示されるように、第２吸引口１１３Ｂを第２の周壁１１１Ｂの０度位置として、時計回りの方向に沿って取付け板１１４の４５度位置、１３５度位置、２２５度位置にそれぞれ、吸入口１１２が形成されている。つまり、第１の実施形態では吸入口１１２を第２の周壁１１１Ｂに形成したが、本実施形態では取付け板１１４に第１の収容空間１１５と第２の収容空間１１６とが連通するように形成した。
【００４４】
この構成によれば、空気または液体はすべて、第１の収容空間１１５を経由して吸引装置へ吸引されるので、吸引力を集中させることができる。
【００４５】
図７は本発明の第３の実施形態の歯鏡装置のシャフトを示す部分断面図である。
【００４６】
本発明の第３の実施形態の歯鏡装置は、上記第１の実施形態と類似する構成を有するので、ここでは詳しい説明を省略し、その相違点のみを説明する。
【００４７】
本発明の第３の実施形態は、図７に示されるように、シャフト１２の台座１１に近い部分に、吸引通路１２１を外部と連通させる第３吸引口１２２が開けられていると共に、第３吸引口１２２の開閉を制御するキャップ１６が取付けられている。
【００４８】
この実施形態において、キャップ１６は、両端それぞれに開口を有し、シャフト１２を回転可能に包囲しながら、第３吸引口１２２に対応する孔１６１が開けられている筒状体に構成されている。キャップ１６を孔１６１が第３吸引口１２２に連通させるように回転すると、第３吸引口１２２が開けられ、空気または液体が、第３吸引口１２２を経由して該吸引装置へ吸引されるようになる。
【００４９】
第３吸引口１２２が開けられると、第２吸引口１１３Ｂからの吸引力が弱くなって、駆動手段１３に与える駆動力も弱くなって、鏡２の回転が停止または遅くなるが、液体が患者の口の中に大量に溜まっている際には、第３吸引口１２２開けることにより、その液体を速やかに吸い取ることができる。
【産業上の利用可能性】
【００５０】
本発明の歯鏡装置は、歯の診断または治療に使用することに好適である。
【符号の説明】
【００５１】
Ａ  第１の方向
Ｂ  第２の方向
Ｘ  所定の軸線
１  取付けフレーム
１１  台座
１１１Ａ  第１の周壁
１１１Ｂ  第２の周壁
１１２  吸入口
１１３Ａ  第１吸引口
１１３Ｂ  第２吸引口
１１４  取付け板
１１４Ａ  取付け孔
１１４Ｂ  第１の面
１１４Ｃ  第２の面
１１４Ｄ  内周面
１１５  第１の収容空間
１１６  第２の収容空間
１２  シャフト
１２１  吸引通路
１２２  第３吸引口
１２３  連接端
１２４  突起
１３  駆動手段
１３０  駆動本体部
１３１  軸受け
１３１Ａ  固定部
１３１Ｂ  回転部
１３１Ｃ  ベアリングボール
１３２  羽根
１３３  環状部材
１３４  羽根部
１４  蓋
１５  案内壁
１６  キャップ
１６１  孔
２  鏡
２１  鏡本体
２１１  鏡面
２２  取付軸
２２１  挿入部
２２２  スペーサ部
３  固定具
【図１】
2017000704.tif 000003
【図２】
2017000704.tif 000004
【図３】
2017000704.tif 000005
【図４】
2017000704.tif 000006
【図５】
2017000704.tif 000007
【図６】
2017000704.tif 000008
【図７】
2017000704.tif 000009